(57)【要約】【課題】  簡素な構造で低コストの引出し用ロック装置を提供する。【解決手段】  開錠時には、レバー２０がコイルバネ５０により前側に引っ張られ、錠部１０の凸部１２が係止板４０の施錠片４１よりも前側で突出し、このとき、連動板３０の連係片３１がレバー２０の折曲片２１により前側に引っ張られ、係合片３２が引出し後面のフック６０との係合から離脱した状態になる。施錠時には、錠部１０を押し込むことで、レバー２０が後側に移動し、凸部１２が施錠片４１よりも後側で突出して施錠片４１に係止し、このとき、連係片３１が折曲片２１により後側に引っ張られ、係合片３２がフック６０と係合するロック状態になる。ロック状態を解除するには、錠部１０の鍵穴１１にキーを差し込んで回す操作に連動して、凸部１２が表面よりも引っ込み、レバー２０が前側に移動し、凸部１２が施錠片４１よりも前側で突出し、開錠状態になる。【選択図】      図６
0003133465.tif 000002
【実用新案登録請求の範囲】
【請求項１】
複数の引出しを有するキャビネットの前面上部に当該前面に対して進退可能に貫通して設けられ、表面より常時突出するように付勢されるとともに開錠時のキー操作に連動して表面よりも引っ込む出入可能な凸部を有する鍵穴付き錠部と、
キャビネットの天板に沿って前面側から背面側に延び、前端部が錠部の後端部に連結された前後に移動可能なレバーと、
キャビネットの後部において上部から下部に延び、上部と下部でそれぞれ揺動可能に支持され、レバーの後端部が係合する連係片と、各引出しの後面に突設されたフックが係脱する係合片とを有する連動板と、
キャビネットの前上部内側において錠部が貫通して配置された係止板と、
一端がレバーに取り付けられ、他端が係止板に取り付けられ、レバーをキャビネットの前面側に常時引っ張り付勢する弾性部材とを備え、
施錠時は、錠部を後側に押すことで錠部の凸部が係止板よりも後側で突出して弾性部材の付勢により係止板に係止し、連動板は、その連係片がレバーの後端部により後側に引っ張られて揺動し、係合片が引出しのフックと係合した状態になり、引出しを閉めた状態がロックされ、
開錠時は、キー操作により錠部の凸部が表面よりも引っ込むことで、錠部が弾性部材の付勢により前側に移動し、その凸部が係止板よりも前側で突出し、連動板は、その連係片がレバーの後端部により前側に引っ張られて揺動し、係合片が引出しのフックとの係合から離脱した状態になり、引出しの開閉が自在となるようにしたことを特徴とする引出し用ロック装置。
【考案の詳細な説明】
【技術分野】
【０００１】
本考案は、複数の引出しを有するキャビネットに設けられ、複数の引出しの閉じた状態を一度にロックすることが可能な引出し用ロック装置に関する。
【背景技術】
【０００２】
そのような引出し用ロック装置としては、例えばラッチのフックがラッチ旋回片の貫通孔に嵌合した状態（引出しのロック状態）で、閉じられていない引出しを押し込むと、ラッチ片によりラッチ旋回片が押されて回転し、フックが貫通孔に嵌合し、当該引出しがロック状態になるように構成した引出し用ロック装置がある（例えば、特許文献１参照）。
【０００３】
また、引出しを閉じると、カム受ローラがラッチ爪を押し退けて凹陥部に嵌合し、傾けた程度では引出しが前に出ないようになり、錠を操作すると、キーロッドを介してスライド機構によりスライド板が下降し、突起がラッチ爪とフレームとの間に介入し、カム受ローラがラッチ爪の凹陥部に嵌合した状態がロックされるように構成したロック装置がある（例えば、特許文献２参照）。
【０００４】
更に、錠前を操作すると、作動具、取付具、連結板を介して揺動板が上に移動し、鍵板が上に移動することで、回動板が回転して、その折り曲げ片が下がり、ストッパーが折り曲げ片に当たることにより、抽斗が閉じた状態がロックされるように構成したキャビネット等の抽斗鎖錠装置がある（例えば、特許文献３参照）。
【特許文献１】実用新案登録第３０４８３５５号公報
【特許文献２】特開平６−１２９１５０号公報
【特許文献３】実開平５−８９７４８号公報
【考案の開示】
【考案が解決しようとする課題】
【０００５】
しかしながら、上記特許文献１記載の装置では、連動棒、固定座、スライドブロック、ラッチ片、ラッチ旋回片、クラッチ板、弾性部材等を有し、部品点数が多く、構造が複雑である。
【０００６】
また、上記特許文献２記載の装置では、キーロッド、スライド機構、スライド板、突起、ラッチ爪、ロッド、カム受ローラ、ブラケット、フレーム等を有し、部品点数が多く、構造が複雑である。
【０００７】
更に、上記特許文献３記載の装置では、作動具、取付具、連結板、揺動板、鍵板、回動板等を有し、部品点数が多く、構造が複雑である。
【０００８】
この考案は、そのような問題点に着目してなされたものであって、簡素な構造で低コストの引出し用ロック装置を提供することを目的としている。
【課題を解決するための手段】
【０００９】
上記課題を解決するために、本考案の引出し用ロック装置は、
複数の引出しを有するキャビネットの前面上部に当該前面に対して進退可能に貫通して設けられ、表面より常時突出するように付勢されるとともに開錠時のキー操作に連動して表面よりも引っ込む出入可能な凸部を有する鍵穴付き錠部と、
キャビネットの天板に沿って前面側から背面側に延び、前端部が錠部の後端部に連結された前後に移動可能なレバーと、
キャビネットの後部において上部から下部に延び、上部と下部でそれぞれ揺動可能に支持され、レバーの後端部が係合する連係片と、各引出しの後面に突設されたフックが係脱する係合片とを有する連動板と、
キャビネットの前上部内側において錠部が貫通して配置された係止板と、
一端がレバーに取り付けられ、他端が係止板に取り付けられ、レバーをキャビネットの前面側に常時引っ張り付勢する弾性部材とを備え、
施錠時は、錠部を後側に押すことで錠部の凸部が係止板よりも後側で突出して弾性部材の付勢により係止板に係止し、連動板は、その連係片がレバーの後端部により後側に引っ張られて揺動し、係合片が引出しのフックと係合した状態になり、引出しを閉めた状態がロックされ、
開錠時は、キー操作により錠部の凸部が表面よりも引っ込むことで、錠部が弾性部材の付勢により前側に移動し、その凸部が係止板よりも前側で突出し、連動板は、その連係片がレバーの後端部により前側に引っ張られて揺動し、係合片が引出しのフックとの係合から離脱した状態になり、引出しの開閉が自在となるようにしたことを特徴としている。
【００１０】
なお、本考案においてキャビネットは、書類やファイル等を入れるものだけでなく、机、飾り棚、タンス等、複数の引出しが上下方向に並んだもの全てを含むものである。
【考案の効果】
【００１１】
本考案によれば、構造が簡素で、低コストの引出し用ロック装置を提供することができる。
【考案を実施するための最良の形態】
【００１２】
以下、実施形態により、この考案をさらに詳細に説明する。
【００１３】
実施形態に係る引出し用ロック装置を設けたキャビネットの外観斜視図を図１に示す。このキャビネット１は、４つの引出し２Ａ，２Ｂ，２Ｃ，２Ｄを有し、頂部に天板３が設けられている。このキャビネット１の前面上部（最上位の引出し２Ａの上側）からは錠部１０が部分的に突出しており、錠部１０はキャビネット１の前面に対して進退可能である。詳細は後述するが、錠部１０をキャビネット１の後側（内部）に押し込むことで、引出し２（Ａ〜Ｄ）が閉じた施錠状態でロックされ、鍵穴１１（図３参照）にキー（図示せず）を差し込んで回すことで、ロック状態が解除され、各引出し２（Ａ〜Ｄ）を自由に開閉することができる開錠状態になる。
【００１４】
このキャビネット１の天板３を取り除いた状態の平面図（上面図）を図２に示す。キャビネット１の内部において、レバー２０が天板３に沿って前面側から背面側に延び、このレバー２０は、その前端部が錠部１０の後端部に連結され、錠部１０と一体に前後に移動可能である。
【００１５】
錠部１０とレバー２０との連結部分を示す一部破断拡大斜視図を図３に、その連結部分の拡大平面図（上面図）を図４に、図２の矢視Ａから見た拡大正面図を図５に、図２の矢視Ｂから見た拡大側面図を図６に示す。
【００１６】
錠部１０は、横断面が長円形状を呈し、前端面に鍵穴１１を有し、後部寄りの上部表面から凸部１２が出入可能に突出している。この凸部１２は、円柱体を斜めに切断した様態であり、切断面（斜面）がレバー２０側を向くように設けられている。また、この凸部１２は、表面より常時突出するように付勢されるとともに、開錠時（鍵穴１１にキーを差し込んで回すとき）に表面よりも引っ込むようにキーの回転操作と連動している。
【００１７】
錠部１０の後端部には、上下方向の切欠き１３が形成され、この切欠き１３にレバー２０の前端部が挿入され、錠部１０の後端部及びレバー２０の前端部は、当該後端部及び前端部を貫通する支軸１５により連結されている。これにより、錠部１０及びレバー２０は前後に一体に移動可能である。
【００１８】
また、錠部１０とレバー２０との連結部分に対応して係止板４０がキャビネット１の前上部内側に配置されている。係止板４０は、キャビネット１の前上部に配置された横断面コ字状のフレーム８０に溶接等により固定され（図６参照）、錠部１０の凸部１２に関連する上方向の施錠片４１を有する。この施錠片４１は、その上端部もフレーム８０に溶接等により接合され、錠部１０が挿通される挿通孔４１ａを有する。更に、係止板４０は一対の突片４２を有し、レバー２０は両突片４２の間の切欠き４２ａを通過している。
【００１９】
レバー２０の前端部寄りの側面には、弾性部材としてのコイルバネ５０を取り付けるためのＬ字状の金具５５が溶接等により固定されている。コイルバネ５０は、その一端が金具５５に形成された円形穴（図示せず）に取り付けられ、他端が係止板４０の一方の突片４２に形成された円形穴４２ｂ（図５参照）に取り付けられている。このコイルバネ５０は、レバー２０をキャビネット１の前面側に常時引っ張り付勢するためのものである。
【００２０】
錠部１０の凸部１２は、開錠時は図６の（ａ）に示すように、施錠片４１よりも前側で突出し、施錠時は図６の（ｂ）に示すように、施錠片４１よりも後側で突出し、施錠片４１に係止する。
【００２１】
一方、レバー２０の後端部に係る連動板の一部省略斜視図を図７に、図２の矢視Ｃから見た拡大正面図を図８に、図８の一部破断拡大正面図を図９に、図２の矢視Ｄから見た拡大側面図（連動板は省略）を図１０に、連動板の下部支持構造の拡大正面図を図１１に示す。
【００２２】
図７において、レバー２０は、その後端部に下方に延びる折曲片２１を有し、折曲片２１には細長い切欠き２２が形成されている。
【００２３】
連動板３０は、キャビネット１の後部において上部から下部に延び、上部と下部でそれぞれ揺動可能に支持されている。この連動板３０は、レバー２０の折曲片２１が係合する連係片３１と、各引出し２（Ａ〜Ｄ）の後面に突設されたフック６０（図１２参照）が係脱する係合片３２と、連係片３１と係合片３２をつなぐ連結片３３とからなる。
【００２４】
ここでは、連係片３１の上部に溶接等により固定された連係金具３５が折曲片２１の切欠き２２に嵌まり込むことで、レバー２０の折曲片２１と連係片３１とが連係するようになっている（図８及び図９参照）。すなわち、レバー２０が前側に移動すると、その折曲片２１により連係金具３５が前側に引っ張られ、連動板３０は時計回り方向に回転し、反対にレバー２０が後側に移動すると、折曲片２１により連係金具３５が後側に引っ張られ、連動板３０は反時計回り方向に回転する。
【００２５】
図７に示すように、連動板３０の上部及び下部には、それぞれ連係片３１と連結片３３との境界線（折曲線）に沿って円柱状の支軸３７，３８が溶接等により固着されている。図８及び図９において、キャビネット１の後上部に配置された横断面略Ｓ字状のフレーム８１（図１０参照）の裏側に、上部支軸３７に対応してカバー７０がネジ７１により取り付けられている。このカバー７０は、上部支軸３７が挿通される円形孔（図示せず）を有し、この円形孔に上部支軸３７が挿通されることで、上部支軸３７が回転可能に支持される。
【００２６】
図１１において、キャビネット１の後下部に配置された横断面コ字状のフレーム８２の表側に、下部支軸３８に対応してカバー７５がネジ７６により取り付けられている。このカバー７５は、下部支軸３８が嵌め込まれたスリーブ状部材７７が挿通される円形孔（図示せず）を有し、この円形孔にスリーブ状部材７７が挿通されることで、下部支軸３８がスリーブ状部材７７を介して回転可能に支持される。なお、連動板３０の下端縁とスリーブ状部材７７との間にはワッシャ７８が介在されている。
【００２７】
また、図８及び図９において、フレーム８１にはレバー２０に対応して案内片９０が溶接等により取り付けられている。更に案内片９０には付設片９１が固着され、案内片９０と付設片９１により、レバー２０を案内する溝９２が形成され、レバー２０はその溝９２に通されている。
【００２８】
図２に示すように、レバー２０の後端部に対応するフレーム８１の部分には、Ｕ字状の切欠き８５が形成されている。この切欠き８５に対応して、図７及び図１０から明らかなように、レバー２０の後端部にはＵ字状の切欠き２５が形成されている。切欠き２５，８５は、施錠時に錠部１０の押し込みによりレバー２０が後側に移動したときに、レバー２０の後端部がフレーム８１に当たらないようにするためのものである。
【００２９】
更に図１０に示すように、開錠時にはレバー２０の折曲片２１の前縁がフレーム８１の折り返し部８１ａに当接することで、レバー２０の前側への移動が規制される。すなわち、レバー２０は、開錠時には当該レバー２０の折曲片２１がフレーム８１の折り返し部８１ａに当たり、施錠時には錠部１０の凸部１２が係止板４０の施錠片４１に当たる範囲で、前後に移動可能である。このレバー２０の前後への移動に伴い、連動板３０は上部支軸３７及び下部支軸３８で支持されつつ一定角度範囲で時計回りや反時計回り方向に揺動する。
【００３０】
キャビネット１の引出し２（Ａ〜Ｄ）の後面に溶接等により突設されたフック６０は、例えば図１２に示すように、高さ寸法の小さい引出し２Ａには１個設けられ（ａ）、高さ寸法の大きい引出し２Ｄには上下に２個設けられる（ｂ）。但し、引出し２Ｄの場合はフック６０は１個のみでもよく、より大きい引出しの場合は３個以上設けてもよい。
【００３１】
次に、上記のように構成した引出し用ロック装置を設けたキャビネット１の開錠及び施錠の作用について、図１３を参照して説明する。
【００３２】
開錠時には、レバー２０はコイルバネ５０により前側に引っ張られ〔図６の（ａ）〕、レバー２０の折曲片２１がフレーム８１の折り返し部８１ａに当接し（図１０）、錠部１０の凸部１２が係止板４０の施錠片４１よりも前側で突出する。このとき、連動板３０は、その連係片３１がレバー２０の折曲片２１により前側に引っ張られることで、時計回り方向に回転し、係合片３２はフック６０との係合から離脱した状態にある〔図１３の（ａ）〕。この開錠時には、各引出し２（Ａ〜Ｄ）を自由に開閉できる。
【００３３】
施錠時には、錠部１０（キャビネット１の前面から突出する部分）を内部に押し込む。これにより錠部１０が後側に移動するのに伴い、凸部１２が施錠片４１に当たるが、凸部１２は錠部１０の表面に出入可能であり、しかもその斜面が施錠片４１に押されるため、凸部１２は表面よりも引っ込み、施錠片４１を超えて後側に移動する。すると、凸部１２は付勢力により表面から突出する。レバー２０はコイルバネ５０により前側に付勢されているので、凸部１２は表面から突出した時点で施錠片４１に当接し〔図６の（ｂ）〕、レバー２０はこれ以上前側に移動しなくなる。
【００３４】
このとき、連動板３０は、その連係片３１がレバー２０の折曲片２１により後側に引っ張られることで、反時計回り方向に回転し、係合片３２はフック６０と係合する状態になる〔図１３の（ｂ）〕。これにより、各引出し２（Ａ〜Ｄ）を閉めた状態がロックされ、各引出し２（Ａ〜Ｄ）を引き出すことができなくなる。
【００３５】
各引出し２（Ａ〜Ｄ）のロック状態を解除するには、錠部１０の鍵穴１１にキーを差し込んで回せばよい。すると、キーの回転操作と連動して錠部１０の凸部１２が表面よりも引っ込むので、レバー２０の動きを規制するものが無くなり、レバー２０はコイルバネ５０により前側に移動し、レバー２０の折曲片２１がフレーム８１の折り返し部８１ａに当接し、錠部１０の凸部１２が係止板４０の施錠片４１よりも前側で突出した開錠状態になる〔図６の（ａ）〕。
【００３６】
なお、上記実施形態では、レバー２０の折曲片２１は連係金具３５を介して連係片３１に係合しているが、連係片３１に連係金具３５のような突片を一体に設けてもよい。
【図面の簡単な説明】
【００３７】
【図１】実施形態に係る引出し用ロック装置を設けたキャビネットの外観斜視図である。
【図２】同キャビネットの天板を取り除いた状態の平面図（上面図）である。
【図３】同引出し用ロック装置における錠部とレバーとの連結部分を示す一部破断拡大斜視図である。
【図４】同引出し用ロック装置における錠部とレバーとの連結部分の拡大平面図（上面図）である。
【図５】図２の矢視Ａから見た拡大正面図である。
【図６】図２の矢視Ｂから見た拡大側面図であり、開錠時の状態を示す図（ａ）、及び施錠時の状態を示す図（ｂ）である。
【図７】同引出し用ロック装置におけるレバーの後端部に係る連動板の一部省略斜視図である。
【図８】図２の矢視Ｃから見た拡大正面図である。
【図９】図８の一部破断拡大正面図である。
【図１０】図２の矢視Ｄから見た拡大側面図（連動板は省略）である。
【図１１】同引出し用ロック装置における連動板の下部支持構造を示す拡大正面図である。
【図１２】同キャビネットの小さい引出しの後側を示す一部省略斜視図（ａ）、及び大きい引出しの後側を示す一部省略斜視図（ｂ）である。
【図１３】同引出し用ロック装置の開錠時の作用を説明するための要部拡大平面図（ａ）、及び施錠時の作用を説明するための要部拡大平面図（ｂ）である。
【符号の説明】
【００３８】
１              キャビネット
２（Ａ〜Ｄ）    引出し
３              天板
１０            錠部
１２            凸部
１１            鍵穴
２０            レバー
２１            折曲片
３０            連動板
３１            連係片
３２            係合片
３３            連結片
３５            連係金具
３７，３８      支軸
４０            係止板
４１            施錠片
５０            コイルバネ（弾性部材）
６０            フック
８０〜８２      フレーム
【図１】
0003133465.tif 000003
【図２】
0003133465.tif 000004
【図３】
0003133465.tif 000005
【図４】
0003133465.tif 000006
【図５】
0003133465.tif 000007
【図６】
0003133465.tif 000008
【図７】
0003133465.tif 000009
【図８】
0003133465.tif 000010
【図９】
0003133465.tif 000011
【図１０】
0003133465.tif 000012
【図１１】
0003133465.tif 000013
【図１２】
0003133465.tif 000014
【図１３】
0003133465.tif 000015